(57)【特許請求の範囲】
【請求項１】
一方向に開口する収納空間内において上下方向に沿う方向に投影口を向けて配設される短焦点型のプロジェクターと、
前記プロジェクターから投影された画像を透過させる透過型スクリーンを構成し、かつ前記収納空間の開口を開閉自在に閉鎖する開閉体と、
前記プロジェクターの投影口側に隣接して配される棚板と、を備えており、該棚板は、平面視して前記プロジェクターを覆うように設けられ、かつ少なくとも該プロジェクターから投影される部位が投影光を透過させる透光パネルとされていることを特徴とする収納装置。
【請求項２】
請求項１において、
前記プロジェクターの投影口側に隣接して配される棚板に加え、前記プロジェクターから前記開閉体に向けて投影される投影光を遮らない構成とされた上下に複数枚の棚板を備えていることを特徴とする収納装置。
【請求項３】
請求項１または２において、
前記プロジェクターの上下位置の調整を可能とする上下位置調整機構を備えていることを特徴とする収納装置。
【請求項４】
請求項１乃至３のいずれか１項において、
前記収納空間内に配設され、かつ前記プロジェクターに接続されて音響を出力する振動式スピーカーを備えていることを特徴とする収納装置。
【請求項５】
一方向に開口する収納空間内に、上下方向に沿う方向に投影口を向けて短焦点型のプロジェクターを配設し、前記プロジェクターから投影された画像を透過させる透過型スクリーンを構成し、かつ前記収納空間の開口を開閉自在に閉鎖する開閉体を設けた構造とされており、前記プロジェクターの投影口側に隣接して配される棚板は、平面視して前記プロジェクターを覆うように設けられ、かつ少なくとも該プロジェクターから投影される部位が投影光を透過させる透光パネルとされていることを特徴とする収納構造。
【発明の詳細な説明】
【技術分野】
【０００１】
本発明は、収納装置及び収納構造に関する。
【背景技術】
【０００２】
従来より、プロジェクターを天井等に設置し、被投影面としての昇降式スクリーンに画像を投影して表示する利用態様が知られている。このようなものでは、プロジェクターや昇降式スクリーンが目立ち易くなるという問題があった。
例えば、下記特許文献１には、収納空間の前面を覆蓋する扉部材の少なくとも一部の領域に透過型スクリーンを設け、この透過型スクリーンに向けて画像を投影するプロジェクターを収納空間に設けた洗面化粧台のミラーキャビネットが開示されている。また、このミラーキャビネットは、プロジェクターから投影された画像を大きくするために、前方に向けて投影するプロジェクターを底板の奥側に設け、このプロジェクターの画像が投影される扉部材を前後に平行移動可能とした構成とされている。
【先行技術文献】
【特許文献】
【０００３】
【特許文献１】特開２０１２−６１１８２号公報
【発明の概要】
【発明が解決しようとする課題】
【０００４】
しかしながら、上記特許文献１に記載されたミラーキャビネットでは、画像を大きくするために、プロジェクターを底板の奥側に設け、扉部材を前後に平行移動可能とする必要があり、更なる改善が望まれる。
【０００５】
本発明は、上記実情に鑑みてなされたものであり、プロジェクターやスクリーンを目立ち難くし、収納空間の奥行寸法を小さくしながらも、投影された画像の大判化を図り得る収納装置及び収納構造を提供することを目的としている。
【課題を解決するための手段】
【０００６】
上記目的を達成するために、本発明に係る収納装置は、一方向に開口する収納空間内において上下方向に沿う方向に投影口を向けて配設される短焦点型のプロジェクターと、前記プロジェクターから投影された画像を透過させる透過型スクリーンを構成し、かつ前記収納空間の開口を開閉自在に閉鎖する開閉体と、前記プロジェクターの投影口側に隣接して配される棚板と、を備えており、該棚板は、平面視して前記プロジェクターを覆うように設けられ、かつ少なくとも該プロジェクターから投影される部位が投影光を透過させる透光パネルとされていることを特徴とする。
【０００７】
また、上記目的を達成するために、本発明に係る収納構造は、一方向に開口する収納空間内に、上下方向に沿う方向に投影口を向けて短焦点型のプロジェクターを配設し、前記プロジェクターから投影された画像を透過させる透過型スクリーンを構成し、かつ前記収納空間の開口を開閉自在に閉鎖する開閉体を設けた構造とされており、前記プロジェクターの投影口側に隣接して配される棚板は、平面視して前記プロジェクターを覆うように設けられ、かつ少なくとも該プロジェクターから投影される部位が投影光を透過させる透光パネルとされていることを特徴とする。
【発明の効果】
【０００８】
本発明に係る収納装置及び収納構造は、上述のような構成としたことで、プロジェクターやスクリーンを目立ち難くし、収納空間の奥行寸法を小さくしながらも、投影された画像の大判化を図ることができる。
【図面の簡単な説明】
【０００９】
【図１】（ａ）、（ｂ）は、本発明の一実施形態に係る収納装置及び収納構造の一例を模式的に示す概略正面図である。
【図２】（ａ）は、図１（ａ）におけるＸ１−Ｘ１線矢視に対応させた概略横断面図、（ｂ）は、図１（ｂ）におけるＸ２−Ｘ２線矢視に対応させた概略横断面図である。
【図３】図１（ａ）におけるＹ１−Ｙ１線矢視に対応させた概略縦断面図である。
【図４】図１（ｂ）におけるＹ２−Ｙ２線矢視に対応させた概略縦断面図である。
【図５】（ａ）、（ｂ）は、本発明の他の実施形態に係る収納装置及び収納構造の一例を模式的に示す概略正面図である。
【図６】図５（ｂ）におけるＹ３−Ｙ３線矢視に対応させた概略縦断面図である。
【図７】（ａ）、（ｂ）は、本発明の更に他の実施形態に係る収納装置及び収納構造の一例を模式的に示し、（ａ）は、図３に対応させた一部破断概略縦断面図、（ｂ）は、図２（ａ）に対応させた一部破断概略横断面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、設置された収納装置の収納空間に対面した状態を基準として、手前側を前方、その逆側を後方とし、また、その状態を基準として上下方向等の方向を説明する。
【００１１】
図１〜図４は、第１実施形態に係る収納装置及び収納構造の一例を模式的に示す図である。
本実施形態に係る収納装置Ａは、図１〜図４に示すように、一方向（前方）に開口する収納空間２内に配設されるプロジェクター２０を備えている。また、収納装置Ａは、プロジェクター２０から投影された画像を透過させる透過型スクリーンを構成し、かつ収納空間２の開口を開閉自在に閉鎖する開閉体３０，３０Ａを備えている。また、本実施形態に係る収納構造は、収納空間２内にプロジェクター２０を配設し、このプロジェクター２０から投影された画像３，３Ａを透過させる透過型スクリーンを構成する開閉体３０，３０Ａを設けた構造とされている。
【００１２】
上述のような構成としたことで、プロジェクター２０やスクリーンを目立ち難くすることができる。つまり、例えば、プロジェクター２０を、スクリーン手前側の天井等に吊下設置したようなものと比べて、プロジェクター２０を目立ち難くすることができる。また、収納空間２の開口を開閉する開閉体３０，３０Ａにプロジェクター２０から投影された画像３，３Ａを表示することができ、開閉体３０，３０Ａをディスプレイとして利用することができる。また、画像３，３Ａを投影しない場合には、開閉体３０，３０Ａであるので、スクリーンとして目立ち難くなり、収納としての外観を呈することができる。
【００１３】
また、プロジェクター２０は、収納空間２内において上下方向に沿う方向に投影口２１を向けて配設される短焦点型とされている。また、同収納構造は、収納空間２内に、上下方向に沿う方向に投影口２１を向けて、このプロジェクター２０を配設した構造としている。従って、例えば、収納空間２の奥行方向と同方向に投影口を向けてプロジェクターを設けたようなものと比べて、被投影面となる開閉体３０，３０Ａまでに要する収納奥行方向に沿う寸法（奥行寸法）を小さくしながらも、投影された画像３，３Ａの大判化を図ることができる。
また、本実施形態では、収納装置Ａを、収納空間２の開口を開閉自在に閉鎖し、かつプロジェクター２０から投影された画像３，３Ａを透過させる透過型スクリーンをそれぞれが構成する複数枚の開閉体３０，３０（３０Ａ，３０Ａ）を備えた構成としている。また、同収納構造を、これら複数枚の開閉体３０，３０（３０Ａ，３０Ａ）を設けた構造としている。このような構成とすれば、複数枚の開閉体３０，３０（３０Ａ，３０Ａ）にプロジェクター２０から投影された画像３（３Ａ）を表示することができる。これにより、例えば、大判な一枚の開閉体を透過型スクリーンとして設けたようなものと比べて、開閉性を阻害することなく、投影された画像３（３Ａ）の大判化を効果的に図ることができる。
【００１４】
この収納装置Ａは、住居等の建物の屋内空間を区画する壁面に沿わせるように配設されるものとしてもよい。また、この収納装置Ａの上下寸法（高さ寸法）や、幅寸法、奥行寸法は、設置箇所や収納用途等に応じて適宜の寸法とされたものとしてもよい。図例では、この収納装置Ａの上下寸法を、床から天井までの上下寸法に応じた寸法としているが、当該収納装置Ａと天井との間に垂れ壁状の壁面材を設けたり、当該収納装置Ａを埋込状（掘込状）に設けた構造としてもよい。また、この収納装置Ａの幅寸法は、例えば、屋内空間の対向する壁面間の寸法に応じた寸法としてもよい。つまりは、この収納装置Ａを、背面側が沿わせられる壁面を略全面に亘って覆うような上下寸法及び幅寸法とされたものとしてもよい。また、この収納装置Ａの奥行寸法は、一般的な壁面収納と同程度の寸法としたり、または、一般的なウォークインクローゼットと同程度の寸法としたりしてもよい。本実施形態では、収納装置Ａを、壁面収納としており、例えば、この収納装置Ａの奥行寸法（沿わせられる壁面側に向く背面から開閉体３０の前面までの奥行方向に沿う寸法）を、３００ｍｍ〜９００ｍｍ程度としてもよい。なお、収納装置Ａを、壁面収納を構成するように設置する態様に限られず、間仕切壁を構成するように設置したり、その他、種々の設置態様の採用が可能である。
【００１５】
また、本実施形態では、図１及び図２に示すように、収納装置Ａを、横並び状に配設される複数の収納部１，４，４，５，５を備えた構成としている。各収納部１，４，４，５，５は、前方に開口する収納空間２をそれぞれに設けた箱状とされ、キャビネット本体をそれぞれが構成する。本実施形態では、横並び状に配設された複数の収納部１，４，４，５，５のうち幅方向（間口方向）中央部の第１収納部１の収納空間２内にプロジェクター２０を設けた構造としている。また、この第１収納部１の幅方向両側に、互いに同様の構成とされた第２収納部４，４をそれぞれに設け、これら第２収納部４，４の幅方向外方側にそれぞれ隣接するように、互いに同様の構成とされた第３収納部５，５を設けた構造としている。これら収納部１，４，４，５，５の上下寸法及び奥行寸法は、互いに略同寸法とされている。また、第１収納部１及び第３収納部５，５の幅寸法は、互いに略同寸法とされている。また、第２収納部４，４の幅寸法は、第１収納部１及び第３収納部５，５の幅寸法の略１／２程度の寸法とされている。
【００１６】
第１収納部１は、天板１０、幅方向両側の側板１１，１１、背板１２及び底板１３によって収納空間２を区画した構成とされている。また、図例では、底板１３を床面との間に間隔を空けて設け、底板１３と床面との間の隙間を覆う台輪状の前板１９を設けた例を示している。また、第２収納部４，４及び第３収納部５，５は、詳細な符号は省略しているが、第１収納部１と概ね同様、天板、幅方向両側の側板、背板及び底板によって各収納空間を区画した構成とされている。なお、これら第２収納部４，４及び第３収納部５，５の底板も第１収納部１と同様、床面から浮かせるように設け、台輪状の前板を設けた構造としてもよい。また、図例では、各収納部１，４，４，５，５の背板１２を個別に設けた例を示しているが、全てまたは複数の収納部１，４，４，５，５に亘って設けられる共通の背板としてもよい。また、天板１０や底板１３も同様、全てまたは複数の収納部１，４，４，５，５に亘って設けられる共通のものとしてもよい。また、隣り合う収納部１，４，４，５，５の側板１１，１１を兼用の側板としてもよい。つまりは、隣り合う収納部１，４，４，５，５を幅方向に区画する単一の側板を設けた構成としてもよい。
【００１７】
また、本実施形態では、収納装置Ａを、プロジェクター２０から開閉体３０，３０Ａに向けて投影される投影光２２を遮らない構成とされた上下に複数枚の棚板１４，１５，１６，１７を備えた構成としている。このような構成とすれば、投影された画像３，３Ａの大判化を図りながらも、上下に複数段の収納部を設けることができる。本実施形態では、これら棚板１４，１５，１６，１７を第１収納部１に設けた構造としている。なお、これら棚板１４，１５，１６，１７の詳細については、後述する。また、第２収納部４，４及び第３収納部５，５のそれぞれにも上下に間隔を空けて複数枚の棚板を設けた例を示している。また、図例では、第２収納部４，４及び第３収納部５，５のそれぞれに、略同高さに棚板を設けた例を示しているが、異なる高さに設けるようにしてもよく、また、配設する高さ位置の変更を可能とした態様としてもよい。
【００１８】
プロジェクター２０は、上下方向に沿う方向に向けた投影口２１から斜め前方側に向けて投影光２２を出射する構成とされている。また、このプロジェクター２０は、投影口２１から被投影面となる開閉体３０，３０Ａまでの奥行方向に沿う寸法が比較的に小とされた短焦点型とされている。このプロジェクター２０は、例えば、その前面から被投影面となる開閉体３０，３０Ａまでの奥行方向に沿う寸法が１００ｍｍ〜３００ｍｍ程度で、４０型（インチ）〜１００型（インチ）程度の画面サイズの画像３，３Ａの投影が可能とされたものとしてもよい。また、開閉体３０，３０Ａに投影された画像３，３Ａのアスペクト比（横縦比）は、一般的な映像表示機器（ディスプレイ）と同程度とされたものとしてもよく、図例では、１６：９とされたものとしている。
【００１９】
また、プロジェクター２０としては、ミラー反射式（ＤＬＰ（登録商標）方式）の超短焦点型のものとしてもよく、液晶透過式のものとしてもよく、その他、種々の方式のものの採用が可能である。また、プロジェクター２０は、当該プロジェクター２０に有線または無線接続されたパーソナルコンピューターや携帯電話等の各種情報端末機器を用いて利用されるものとしてもよい。また、プロジェクター２０を、リモコン装置や手指等の動きを検出する３Ｄモーションセンサー等によって操作可能とされたものとしてもよい。また、プロジェクター２０を、棚板１４，１５，１６や背板１２、収納物の一部等に、プロジェクションマッピング的に部分的に投影する態様とされたものとしてもよい。
【００２０】
本実施形態では、このプロジェクター２０を、図３及び図４に示すように、投影口２１を上方に向けて収納空間２内に設けた構造としている。また、プロジェクター２０を、収納空間２内の下側領域に設けている。また、複数枚の棚板１４，１５，１６，１７によって上下に複数に区画された収納部のうちの最下段の収納部内にプロジェクター２０を設けた構造としている。つまり、プロジェクター２０を、第１収納部１の底板１３上に設置した態様としている。また、プロジェクター２０を、図１及び図２に示すように、その投影口２１から投影された画像３，３Ａが、当該収納装置Ａの幅方向略中央に表示されるように設けている。図例では、プロジェクター２０を、その投影口２１が当該収納装置Ａの幅方向略中央に位置するように設けた例を示している。
【００２１】
また、このプロジェクター２０の奥行方向に沿う方向の設置位置は、後記する開閉体３０，３０Ａに表示された画像３，３Ａが所望する画面サイズとなるように、適宜の位置としてもよい。図例では、プロジェクター２０を、収納空間２の奥行方向の途中部位に設けている。また、プロジェクター２０の投影口２１が収納空間２の奥行方向中央よりも前方に位置するようにプロジェクター２０を設けた例を示している。なお、このプロジェクター２０に駆動電源を供給する電源コードや、このプロジェクター２０に接続される種々のケーブルが挿通される配線孔を、側板１１や背板１２の適所に設けた構成としてもよい。
【００２２】
また、本実施形態では、収納装置Ａに、プロジェクター２０の上下位置の調整を可能とする上下位置調整機構２３を設けた構成としている。このような構成とすれば、プロジェクター２０の上下位置を調整することで、プロジェクター２０から開閉体３０，３０Ａに投影される画像の上下位置を変更することができる。
上下位置調整機構２３は、本実施形態では、プロジェクター２０の上下方向反投影口側に設けられ、プロジェクター２０の設置部を構成する。つまり、プロジェクター２０の下方側に上下位置調整機構２３を設けた構成としている。また、この上下位置調整機構２３を、底板１３に載置するように設けている。図例では、上下位置調整機構２３を、上下に離間して配された板状体を接離可能としたジャッキ状のものとした例を示している。
【００２３】
なお、上下位置調整機構２３に、上下位置を調整する適宜の操作部を設けた構成としてもよい。また、上下位置調整機構２３としては、このようなジャッキ状のものに限られず、ねじ操作等によって上下調整可能とされたアジャスター状のもの等としてもよい。また、上下位置調整機構２３としては、プロジェクター２０の下方側に設けられるものに限られず、プロジェクター２０の上方側に配される棚板（第１棚板）１４に固定されるものとし、プロジェクター２０を吊下状に支持する構成とされたものとしてもよい。また、例えば、プロジェクター２０が載置される棚板を上下の配設位置の変更が可能とされた可動棚とし、この可動棚とこの可動棚の両側を支持する側板とを上下位置調整機構２３として把握するような態様等としてもよい。プロジェクター２０の上下位置の調整を可能とする上下位置調整機構２３としては、その他、種々の変形が可能である。また、このような上下位置調整機構２３を設けた態様に代えて、または加えて、プロジェクター２０の幅方向や奥行方向に沿う方向の位置調整を可能とする調整機構を設けた構成としてもよい。また、プロジェクター２０自体に、上下方向、幅方向及び奥行方向のうちの少なくとも一方向への位置調整を可能とする調整機構や、台形補正機能、拡大・縮小機能等を設けた態様としてもよい。また、上記のようなプロジェクター２０とは別体とされた調整機構を設けない場合には、第１収納部１のプロジェクター２０の設置箇所に、プロジェクター２０を設置する設置部を設けた構成としてもよい。
【００２４】
第１収納部１に配設される複数枚の棚板１４，１５，１６，１７のうち、プロジェクター２０の投影口２１側に隣接して配される棚板としての第１棚板１４は、最下段の収納部の上方側を区画するように設けられている。本実施形態では、この第１棚板１４を、平面視してプロジェクター２０を覆うように設けられるものとし、かつ少なくともプロジェクター２０から投影される部位が投影光２２を透過させる透光部１４ｃとされたものとしている。このような構成とすれば、プロジェクター２０の投影口２１を第１棚板１４によって覆うことができ、収納物や手指等の投影口２１への接触を防止することができる。また、この第１棚板１４に物品を載置することもでき、例えば、プロジェクター２０からの投影光２２を遮らないように奥行寸法を小さくした棚板を設けたようなものと比べて、収納効率を向上させることができる。
【００２５】
また、この第１棚板１４を、プロジェクター２０の投影口２１に比較的に近接させて設けた例を示している。
この第１棚板１４の奥行方向及び幅方向に沿う寸法は、収納空間２の奥行寸法及び幅寸法に応じた寸法とされている。
本実施形態では、この第１棚板１４を、プロジェクター２０の投影口２１からの投影光２２を遮らないように、投影光２２を通過させる厚さ方向に貫通する孔状の開口１４ｂを設けた棚板本体１４ａを備えた構成としている。また、第１棚板１４を、この棚板本体１４ａの開口１４ｂを覆うように透光部１４ｃを設けた構成としている。また、第１棚板１４を、透光部を構成する板状の透光パネル１４ｃを棚板本体１４ａに積層した構成としている。図例では、棚板本体１４ａの上面側に透光パネル１４ｃを積層した構成としている。棚板本体１４ａは、木質系材料等の非透光性材料から形成されたものとしてもよい。透光パネル１４ｃは、ガラスや、アクリル樹脂やポリカーボネート樹脂等の透光性樹脂等の透光性材料から形成されたものとしてもよい。なお、棚板本体１４ａに透光パネル１４ｃを積層した構成に限られず、棚板本体１４ａの開口１４ｂに透光部１４ｃを嵌込状に設けた構成としてもよい。
【００２６】
この第１棚板１４の上方側に隣接して配される第２棚板１５は、プロジェクター２０の投影口２１からの投影光２２を遮らないように、奥行寸法を小さくした構成とされている。つまり、この第２棚板１５は、収納空間２の奥側部位のみに設けられている。この第２棚板１５の奥行寸法は、プロジェクター２０の投影口２１からの投影光２２の角度や、この第２棚板１５が配される高さ位置等に応じて適宜、設定するようにしてもよい。
この第２棚板１５の上方側に隣接して配される第３棚板１６は、奥行方向及び幅方向に沿う寸法が収納空間２の奥行寸法及び幅寸法に応じた寸法とされ、プロジェクター２０の投影口２１からの投影光２２を遮らない高さ位置となるように配されている。なお、この第３棚板１６を、配される高さ位置によっては、第２棚板１５と同様、奥行寸法を小さくした構成としてもよい。
これら第１棚板１４、第２棚板１５及び第３棚板１６は、収納空間２の幅方向両側端部が両側の側板１１，１１に固定される固定棚とされている。
【００２７】
第３棚板１６の上方側に隣接して配される第４棚板１７は、プロジェクター２０の投影口２１からの投影光２２を遮らない高さ位置において、上下の配設位置の変更が可能とされた可動棚とされている。この第４棚板１７は、奥行方向及び幅方向に沿う寸法が収納空間２の奥行寸法及び幅寸法に応じた寸法とされている。図例では、両側板１１，１１の各対向面に、第４棚板１７を支持するダボが挿入されるダボ穴を、上下方向に間隔を空けて複数箇所に設けた構成としている。なお、第１棚板１４、第２棚板１５及び第３棚板１６も可動棚としてもよい。
また、第１収納部１に配設される棚板１４，１５，１６，１７としては、上記のような枚数や態様に限られず、その他、種々の変形が可能である。
また、第１収納部１の両側の側板１１，１１間の幅方向に沿う寸法は、図２に示すように、プロジェクター２０の投影口２１からの投影光２２を遮らないように、適宜の寸法とされている。
【００２８】
また、本実施形態では、収納装置Ａに、収納空間２内に配設され、かつプロジェクター２０に接続されて音響を出力する振動式スピーカー２４を設けている。このような構成とすれば、例えば、スピーカーを露出させるように設けたようなものと比べて、外部スピーカーとしての機能を設けながらも、スピーカー２４を目立ち難くすることができ、見栄えを向上させることができる。
この振動式スピーカー２４は、当該振動式スピーカーが当接される対象を振動させることで音を発生させる構成とされ、適宜のケーブルや無線等によってプロジェクター２０に接続される。
【００２９】
本実施形態では、この振動式スピーカー２４を、プロジェクター２０を収納させた最下段の収納部に設けている。また、本実施形態では、この最下段の収納部の前方開口を覆う前板１８を設け、この前板１８の背面に振動式スピーカー２４を設けた構成としている。このような構成とすれば、プロジェクター２０及び振動式スピーカー２４を、より目立ち難くすることができる。また、この前板１８を、振動式スピーカー２４の当接対象とすることができる。なお、この前板１８は、開閉可能とされたものとしてもよく、側板１１や底板１３、第１棚板１４等に固定されたものとしてもよい。また、このような振動式スピーカー２４に代えて、アンプを内蔵等した他の外部スピーカーを設けた構成としてもよく、さらには、このような外部スピーカーを設けないようにしてもよい。
【００３０】
開閉体３０，３０Ａは、収納空間２内に配されたプロジェクター２０の投影口２１からの投影光２２を透過させ、その前面側において視認可能なように画像３，３Ａを表示する構成とされている。
本実施形態では、複数枚の開閉体３０，３０Ａを、戸体とし、収納空間２の幅方向に沿う方向にスライド自在とされた引戸３０，３０Ａとしている。また、開閉体として、引分状に配設される二枚の引戸３０，３０（３０Ａ，３０Ａ）を設けた構成としている。このような構成とすれば、これら二枚の引戸３０，３０（３０Ａ，３０Ａ）の戸先側端面同士を当接させることで、概ね一連状の画像３（３Ａ）の表示面を構成することができる。これにより、例えば、二枚の引戸３０，３０（３０Ａ，３０Ａ）を引違状に配設したものや、観音開き状に二枚の開き戸を配設したものと比べて、開閉体間の段差や隙間を抑制することができ、画像３（３Ａ）の表示性を向上させることができる。
【００３１】
また、本実施形態では、複数枚の開閉体３０，３０，３０Ａ，３０Ａとして、プロジェクター２０から投影される位置に選択的にスライドされて配される第１引戸３０，３０対と第２引戸３０Ａ，３０Ａ対とを設けた構成としている。また、第２引戸３０Ａ，３０Ａ対を、第１引戸３０，３０対よりも画像３，３Ａの透過率（可視透過率）が大とされたものとしている。つまり、第２引戸３０Ａ，３０Ａ対の透明度を、第１引戸３０，３０対の透明度よりも高くしている。このような構成とすれば、表示する画像３，３Ａの種類やユーザーの趣向等に応じて、透過率の異なる引戸３０，３０（３０Ａ，３０Ａ）対を選択的に透過型スクリーンとして利用することができる。また、例えば、後記するように、各引戸３０，３０，３０Ａ，３０Ａによって各収納部１，４，４，５，５を選択的に閉鎖することで、各収納部１，４，４，５，５に収納された収納物を目立ち易くしたり、目立ち難くしたりするようなこともできる。
また、本実施形態では、第１引戸３０，３０対及び第２引戸３０Ａ，３０Ａ対のそれぞれを、引分状に配設されるものとしている。このような構成とすれば、第１引戸３０，３０対及び第２引戸３０Ａ，３０Ａ対のいずれの引戸対をプロジェクター２０から投影される位置とした場合にも、開閉体間の段差や隙間を抑制することができ、画像３，３Ａの表示性を向上させることができる。
【００３２】
これら引戸３０，３０，３０Ａ，３０Ａは、上下寸法及び戸幅寸法が互いに略同寸法とされている。これら引戸３０，３０，３０Ａ，３０Ａの上下寸法は、各収納部１，４，４，５，５の上下寸法に概ね応じた寸法とされている。また、これら引戸３０，３０，３０Ａ，３０Ａの戸幅寸法は、第１収納部１の幅寸法に応じた寸法とされている。つまり、図１及び図２に示すように、二対のうちの一方の引戸３０，３０（３０Ａ，３０Ａ）対によって第１収納部１及び第２収納部４，４を閉鎖可能で、他方の引戸３０Ａ，３０Ａ（３０，３０）対によって第３収納部５，５を閉鎖可能な構成としている。なお、これら引戸３０，３０，３０Ａ，３０Ａの戸厚寸法は、開閉性や強度上の観点や、画像表示性の観点等から適宜の寸法とされたものとしてもよい。
【００３３】
また、本実施形態では、これら引戸３０，３０，３０Ａ，３０Ａの面域方向の略全面を、透過型スクリーンを構成する態様としている。つまり、各引戸３０，３０，３０Ａ，３０Ａを、面域方向の略全体に亘って一様な構成としている。なお、このような態様に代えて、四周端部に補強枠を設けた態様としたり、引戸３０，３０，３０Ａ，３０Ａの少なくとも画像３，３Ａを表示する領域が透過型スクリーンを構成する態様とされたものとしてもよい。
また、これら引戸３０，３０，３０Ａ，３０Ａには、手掛部３３，３３，３３，３３がそれぞれに設けられている。本実施形態では、手掛部３３，３３，３３，３３を、各引戸３０，３０，３０Ａ，３０Ａの上端部に設けた構成としている。また、手掛部３３，３３，３３，３３を、各引戸３０，３０，３０Ａ，３０Ａを戸厚方向に貫通させた孔状としている。なお、手掛部３３，３３，３３，３３としては、このような態様に限られず、その他、種々の変形が可能である。
【００３４】
また、それぞれに引分状に配設される二対のうちの一方の第１引戸３０，３０対を、他方の第２引戸３０Ａ，３０Ａ対の前方側においてスライド自在に配設した構成としている。
本実施形態では、これら引戸３０，３０，３０Ａ，３０Ａを吊下支持する上レール２５，２７を設けた構成としている。つまり、一対の第１引戸３０，３０の上端側をガイドする第１上レール２５と、一対の第２引戸３０Ａ，３０Ａの上端側をガイドする第２上レール２７と、を平行状に設けた構成としている。
これら上レール２５，２７は、当該収納装置Ａの幅方向の略全長に亘って設けられている。また、これら上レール２５，２７には、各引戸３０，３０，３０Ａ，３０Ａの上端部に設けられたランナー２９，２９，２９，２９を受け入れて走行自在に保持するガイド溝が設けられている。ランナー２９，２９，２９，２９は、例えば、戸厚方向に沿う軸廻りに回転自在とされた転動体（ローラー）を設けた構成とされたものとしてもよく、また、適宜の連結部材によって各引戸３０，３０，３０Ａ，３０Ａの上端部に固定されたものとしてもよい。
【００３５】
また、図例では、これら上レール２５，２７を、天井面に沿わせるように設け、これら上レール２５，２７の前方側を覆うように配設される幕板状部材３４を設けた構成としている。図例では、この幕板状部材３４を、各引戸３０，３０，３０Ａ，３０Ａのランナー２９，２９，２９，２９の連結部材を含む部位の前方側を覆うように配設される上下寸法とした例を示している。なお、このような幕板状部材３４を設けないようにしてもよく、また、上レール２５，２７を、埋込状に設けた構成としてもよい。また、各上レール２５，２７の適所、例えば、中央部に、当該収納装置Ａの幅方向一方側に配設される第１引戸３０及び第２引戸３０Ａの幅方向他方側への移動を抑止するストッパー等を設けた構成としてもよい。また、各上レール２５，２７の適所、例えば、中央部に、戸先側端面同士を突き合わせた状態の引戸３０，３０，３０Ａ，３０Ａ対を保持するキャッチ機構を設けた構成としてもよい。また、各上レール２５，２７の適所、例えば、長手方向両端部に、引き分けられた状態の引戸３０，３０，３０Ａ，３０Ａ対を保持するキャッチ機構を設けた構成としてもよい。
【００３６】
また、本実施形態では、各引戸３０，３０，３０Ａ，３０Ａの下端側をガイドする下端ガイド部材２６，２６，２８，２８を設けた構成としている。下端ガイド部材２６，２６，２８，２８は、各引戸３０，３０，３０Ａ，３０Ａの下端部を受け入れるように上方に向けて開口するガイド溝を設けた構成とされている。これら下端ガイド部材２６，２６，２８，２８は、各上レール２５，２７の直下に位置するように床上に配設される。また、図例では、これら下端ガイド部材２６，２６，２８，２８を、当該収納装置Ａの幅方向の略全長に亘って設けずに、当該収納装置Ａの幅方向に沿う方向の寸法を比較的に短い寸法としたものとしている。図例では、これら下端ガイド部材２６，２６，２８，２８の当該収納装置Ａの幅方向に沿う方向の寸法を、第１収納部１の収納空間２と第２収納部４の収納空間とを区画する側板１１の厚さ寸法と略同寸法とした例を示している。
【００３７】
なお、下端ガイド部材２６，２６，２８，２８としては、上記のような構成に限られず、各引戸３０，３０，３０Ａ，３０Ａの下端部に設けられた凹溝に挿入（遊挿）される突起状とされたものとしてもよい。この場合は、下端ガイド部材２６，２６，２８，２８を、磁石を設けたガイドピンを上下方向に出没自在に収容し、床に埋め込まれるように配設されるマグネットガイドとしてもよい。また、この場合は、各引戸３０，３０，３０Ａ，３０Ａの下端部の凹溝に、マグネットガイドに対応させて磁石や磁性体等を設けた構成としてもよい。各引戸３０，３０，３０Ａ，３０Ａの下端側をガイドする下端ガイド部材２６，２６，２８，２８としては、その他、種々の変形が可能である。
【００３８】
また、各引戸３０，３０，３０Ａ，３０Ａをスライド自在にガイドする上下のガイドとしては、各引戸３０，３０，３０Ａ，３０Ａを上吊状にガイドする構成とされたものに限られず、下荷重型とされたものとしてもよい。この場合は、下端ガイド部材２６，２６，２８，２８を、レール状のものとしたり、各引戸３０，３０，３０Ａ，３０Ａの下端部に戸車等を設けた態様としたりしてもよい。また、この場合は、上レール２５，２７や、これにガイドされる各引戸３０，３０，３０Ａ，３０Ａの上端側を適宜、変形するようにしてもよい。
また、第１引戸３０，３０対と第２引戸３０Ａ，３０Ａ対とを前後に異なる位置においてスライド自在に配設した態様に代えて、閉鎖位置において各引戸３０，３０，３０Ａ，３０Ａの前面が略同一平面状となる構成とされたものとしてもよい。この場合は、上下のガイド等を適宜、変形するようにすればよい。各引戸３０，３０，３０Ａ，３０Ａをスライド自在にガイドする上下のガイドとしては、その他、種々の変形が可能である。
【００３９】
また、本実施形態では、図３に示すように、一対の第１引戸３０，３０のそれぞれを、透光性板材３１，３１間に紙材３２を介在させた構成としている。このような構成とすれば、例えば、透明な開閉体（引戸）とした場合と比べて、収納空間２内に収納された収納物を目立ち難くすることができる。これにより、例えば、プロジェクター２０を収納する収納部の前方開口を閉鎖する上記のような前板１８を設けないような場合にも、プロジェクター２０を目立ち難くすることができる。
透光性板材３１，３１は、ガラスや、アクリル樹脂やポリカーボネート樹脂等の透光性樹脂等の透光性材料から形成されている。図例では、これら透光性板材３１，３１を互いに同厚さとした例を示しているが、異なる厚さとしてもよい。
紙材３２は、例えば、乳白色等の半透明状とされ、プロジェクター２０の投影口２１からの投影光２２を透過させる構成とされている。この紙材３２としては、和紙や、障子紙、グラシン紙（パラフィン紙）、その他の洋紙としてもよく、その他、種々の紙材を採用するようにしてもよい。
【００４０】
また、本実施形態では、図４に示すように、一対の第２引戸３０Ａ，３０Ａのそれぞれを、透光性板材３１Ａの片面に透光フィルム３２Ａを貼着した構成としている。
透光性板材３１Ａは、第１引戸３０の透光性板材３１と同様、ガラスや透光性樹脂等の透光性材料から形成されている。
透光フィルム３２Ａは、プロジェクター用の透明または半透明の透過型フィルムとされている。この透光フィルム３２Ａは、第１引戸３０の紙材３２よりも画像３，３Ａの透過率が大とされている。つまり、本実施形態では、透光性板材３１，３１Ａに積層または貼着された部材３２，３２Ａの透過率を異ならせることで、第２引戸３０Ａ，３０Ａの透過率を第１引戸３０，３０よりも大としている。
【００４１】
なお、一方の引戸３０，３０と他方の引戸３０Ａ，３０Ａとの透過率を異ならせる態様としては、上記のような態様に限られない。例えば、一方の引戸３０，３０の透光性板材３１に、透過率を小さくする部材（例えば、紙材）を積層または貼着した態様に代えて、塗装や研磨等の表面処理を施した態様としてもよい。また、一方の引戸３０，３０自体を、透過率を小さくする着色剤等の添加剤を含有させた樹脂材から形成されたものとしてもよい。一方の引戸３０，３０と他方の引戸３０Ａ，３０Ａとの透過率を異ならせる態様としては、その他、種々の変形が可能である。
【００４２】
上記構成とされた各引戸３０，３０，３０Ａ，３０Ａに画像３，３Ａを表示する場合には、例えば、以下のようにしてもよい。
図１（ａ）、図２（ａ）及び図３では、一対の第１引戸３０，３０を、プロジェクター２０から投影される位置に配した例を示している。つまり、突き合わせた一対の第１引戸３０，３０によって第１収納部１及び第２収納部４，４を閉鎖し、引き分けて離間させた一対の第２引戸３０Ａ，３０Ａによって第３収納部５，５を閉鎖した状態を示している。この状態では、突き合わせられた二枚の第１引戸３０，３０に跨るように、プロジェクター２０の投影口２１から投影された画像３が表示される。図例では、二枚の第１引戸３０，３０の突き合わせ部位に、画像３の幅方向中央を略一致させ、各引戸３０，３０の上下方向途中部位に画像３を表示させた例を示している。この画像３のサイズ（画面サイズ）は、各引戸３０，３０の幅寸法よりも大で、かつ二枚の引戸３０，３０の幅寸法を足し合わせた寸法よりも小としてもよい。
【００４３】
図１（ｂ）、図２（ｂ）及び図４では、一対の第２引戸３０Ａ，３０Ａを、プロジェクター２０から投影される位置に配した例を示している。つまり、突き合わせた一対の第２引戸３０Ａ，３０Ａによって第１収納部１及び第２収納部４，４を閉鎖し、引き分けて離間させた一対の第１引戸３０，３０によって第３収納部５，５を閉鎖した状態を示している。この状態では、上記と概ね同様、突き合わせられた二枚の第２引戸３０Ａ，３０Ａに跨るように、プロジェクター２０の投影口２１から投影された画像３Ａが表示される。この画像３Ａのサイズも上記同様、各引戸３０Ａ，３０Ａの幅寸法よりも大で、かつ二枚の引戸３０Ａ，３０Ａの幅寸法を足し合わせた寸法よりも小としてもよい。
また、このように第２引戸３０Ａ，３０Ａに表示された画像３Ａは、第１引戸３０，３０に表示させた画像３よりも鮮明（クリア）となる。また、第１引戸３０，３０に閉鎖された第３収納部５，５内は、第２引戸３０Ａ，３０Ａによって閉鎖した場合よりも視認し難くなる。
【００４４】
なお、図例では、奥側の第２引戸３０Ａ，３０Ａに画像３Ａを表示しているので、第１引戸３０，３０に表示させた画像３のサイズよりも小さくした例を示しているが、適宜、調整することで、互いに略同サイズの画像３，３Ａが表示されるものとしてもよい。
また、各引戸３０，３０，３０Ａ，３０Ａに、複数に分割された画像（マルチ画像）を表示させる態様としてもよい。また、各引戸３０，３０，３０Ａ，３０Ａを、投影されていないときは鏡（ハーフミラー）となるものとしたり、また、タッチパネルを構成するもの等としてもよい。また、各引戸３０，３０，３０Ａ，３０Ａを、電子ペン等を用いて電子黒板として利用されるものとしてもよい。
【００４５】
次に、本発明に係る他の実施形態について、図面を参照しながら説明する。
図５及び図６は、第２実施形態に係る収納装置及び収納構造の一例を模式的に示す図である。
なお、上記第１実施形態との相違点について主に説明し、同様の構成については、同一の符号を付し、その説明を省略または簡略に説明する。
【００４６】
本実施形態に係る収納装置Ｂは、第１収納部１Ａの構成、プロジェクター２０の設置態様及び第２引戸３０Ｂ，３０Ｂ対の構成が上記第１実施形態とは主に異なる。
本実施形態では、プロジェクター２０を、図５及び図６に示すように、投影口２１を下方に向けて収納空間２内に設けた構造としている。また、プロジェクター２０を、収納空間２内の上側領域に設けている。また、複数枚の棚板１４Ａ，１５Ａ，１６Ａ，１７Ａによって上下に複数に区画された収納部のうちの最上段の収納部内にプロジェクター２０を設けた構造としている。また、図例では、上記と同様の上下位置調整機構２３を介して天板１０に吊下状にプロジェクター２０を支持させた例を示している。また、複数枚の棚板１４Ａ，１５Ａ，１６Ａ，１７Ａを、上記第１実施形態とは上下反転させたような設置態様としている。
【００４７】
本実施形態では、プロジェクター２０の投影口２１側に隣接して配される第１棚板１４Ａを、プロジェクター２０の投影口２１からの投影光２２を遮らないように、投影光２２を通過させる開口１４ｂを設けた構成としている。つまり、本実施形態では、投影口２１を覆う透光部を設けずに、開口１４ｂを設けた構成としている。なお、このような態様に代えて、上記のような透光部を設けた構成としてもよい。また、第１棚板１４Ａに、投影光２２を通過させる厚さ方向に貫通する孔状の開口１４ｂを設けた態様に代えて、厚さ方向及び前方に開口する切欠状の凹部を設けた構成としてもよい。さらには、第１棚板１４Ａの奥行寸法を、プロジェクター２０の投影口２１からの投影光２２を遮らないように、小さい寸法としてもよい。
【００４８】
また、上記同様、本実施形態においても、このプロジェクター２０を収納する最上段の収納部の前方開口を覆う前板１８Ａを設け、この前板１８Ａの背面に振動式スピーカー２４を設けた構成としている。
また、第１棚板１４Ａの下方側に隣接して配される第２棚板１５Ａを、上記第１実施形態と概ね同様、プロジェクター２０の投影口２１からの投影光２２を遮らないように、奥行寸法を小さくした構成としている。
また、第２棚板１５Ａの下方側に隣接して配される第３棚板１６Ａを、上記第１実施形態と概ね同様、プロジェクター２０の投影口２１からの投影光２２を遮らない高さ位置となるように配している。
また、第３棚板１６Ａの下方側に隣接して配される第４棚板１７Ａを、上記第１実施形態と概ね同様、プロジェクター２０の投影口２１からの投影光２２を遮らない高さ位置において、上下の配設位置の変更が可能とされた可動棚としている。
【００４９】
また、本実施形態では、第２引戸３０Ｂ，３０Ｂ対のそれぞれを、透光性板材３１Ｂ，３１Ｂ間に調光フィルム（シート）３２Ｂを介在させた構成としている。
透光性板材３１Ｂ，３１Ｂは、上記同様、透光性材料から形成されている。
調光フィルム３２Ｂは、電圧の印加有無（ＯＮ／ＯＦＦ）によって透過率（透明度）が切り替えられる構成とされ、例えば、液晶調光フィルム等としてもよい。また、調光フィルム３２Ｂは、乳白色等の半透明と透明とに切り替えられる構成や、不透明と透明とに切り替えられる構成、不透明と半透明とに切り替えられる構成とされたものとしてもよく、また、多段階的に切り替えられる構成とされたものとしてもよい。
第２引戸３０Ｂ，３０Ｂ対を、このような構成とすれば、第２引戸３０Ｂ，３０Ｂ対自体の透過率を選択的に変更することができ、種々の使用態様に対応することができる。
また、上記構成とされた本実施形態に係る収納装置Ｂ及び収納構造においても、上記した第１実施形態と概ね同様の効果を奏する。
【００５０】
次に、本発明に係る更に他の実施形態について、図面を参照しながら説明する。
図７は、第３実施形態に係る収納装置及び収納構造の一例を模式的に示す図である。
なお、上記第１実施形態との相違点について主に説明し、同様の構成については、同一の符号を付し、その説明を省略または簡略に説明する。
【００５１】
本実施形態に係る収納装置Ｃは、図７に示すように、第１収納部１Ｂ及び第２収納部４Ａ，４Ａの構成が上記第１実施形態とは主に異なる。
本実施形態においても、第１棚板１４Ｂを、平面視してプロジェクター２０を覆うように設け、かつ少なくともプロジェクター２０から投影される部位が投影光２２を透過させる透光部１４Ｂａとされたものとしている。本実施形態では、この第１棚板１４Ｂを、投影光２２を透過させる透光性材料から形成され透光部を構成する透光パネル１４Ｂａを有した構成としている。また、この透光パネル１４Ｂａの奥行方向及び幅方向に沿う寸法を、収納空間２Ａの奥行寸法及び幅寸法に応じた寸法としている。また、この透光パネル１４Ｂａの片面の一部に、プロジェクター２０の投影口２１からの投影光２２を遮らないように、塗装またはフィルムの貼着によって色柄部１４Ｂｂを設けた構成としている。図例では、第１棚板１４Ｂの奥側部位の下面側に、色柄部１４Ｂｂを設けた構成としているが、平面視して投影口２１を囲むように色柄部１４Ｂｂを設けた構成等としてもよい。
【００５２】
また、本実施形態では、この第１棚板１４Ｂの上方側に隣接して配される第２棚板１５Ｂを、第１棚板１４Ｂと概ね同様、投影光２２を透過させる透光性材料から形成された透光パネル１５Ｂａを有した構成としている。また、この透光パネル１５Ｂａの奥行方向及び幅方向に沿う寸法を、収納空間２Ａの奥行寸法及び幅寸法に応じた寸法としている。また、この透光パネル１５Ｂａの片面の一部に、プロジェクター２０の投影口２１からの投影光２２を遮らないように、塗装またはフィルムの貼着によって色柄部１５Ｂｂを設けた構成としている。
【００５３】
また、本実施形態では、第１収納部１Ｂの幅寸法を上記各実施形態よりも小とし、これに対応させて、第２収納部４Ａ，４Ａの幅寸法を上記各実施形態よりも大としている。また、第１収納部１Ｂの収納空間２Ａとその両側の第２収納部４Ａ，４Ａの収納空間とを区画する両側板１１Ａ，１１Ａを、少なくともプロジェクター２０から投影される部位が投影光２２を透過させる透光部とされたものとしている。図例では、両側板１１Ａ，１１Ａ自体を透光性材料から形成されたものとしている。なお、これら両側板１１Ａ，１１Ａの片面の一部に、プロジェクター２０の投影口２１からの投影光２２を遮らないように、塗装またはフィルムの貼着によって色柄部を設けた構成としてもよい。また、これら両側板１１Ａ，１１Ａの少なくともプロジェクター２０から投影される部位を、投影光２２を透過させる透光部とした態様に代えて、切欠状の凹部を設けた態様としてもよく、両側板１１Ａ，１１Ａの奥行寸法を小さくした態様等としてもよい。
上記構成とされた本実施形態に係る収納装置Ｃ及び収納構造においても、上記した第１実施形態と概ね同様の効果を奏する。
【００５４】
なお、上記各実施形態において説明した互いに異なる構成を、適宜、組み替えたり、組み合わせたりして適用するようにしてもよい。
また、上記各実施形態では、第１引戸３０，３０対及び第２引戸３０Ａ，３０Ａ（３０Ｂ，３０Ｂ）対のそれぞれを、引分状に配設した例を示しているが、このような態様に限られない。例えば、四枚の引戸のうちの少なくとも二枚を引分状に配設し、この二枚のうちの一方に、残余の二枚の引戸を引違状に配設した態様としたり、四枚の全てを引違状に配設した態様としたりしてもよい。この場合は、各引戸の上下をガイドするガイド部を適宜、変形するようにすればよい。また、開閉体３０，３０Ａ，３０Ｂとしては、引戸に限られず、折戸や開き戸等の他の戸体としてもよく、巻取機構によって上下方向に巻き取り及び繰り出し可能なロールスクリーン式の開閉スクリーン等としてもよい。
【００５５】
また、上記各実施形態では、四枚の開閉体（引戸）３０，３０，３０Ａ，３０Ａ（３０Ｂ，３０Ｂ）のうちの二枚にプロジェクター２０からの画像３，３Ａを表示させる態様とした例を示しているが、このような態様に限られない。例えば、一枚または三枚以上の開閉体にプロジェクター２０からの画像３，３Ａを表示させる態様としてもよい。
また、上記各実施形態では、開閉体（引戸）３０，３０対と開閉体３０Ａ，３０Ａ（３０Ｂ，３０Ｂ）対との透過率を異ならせた態様とした例を示しているが、互いに同様の構成とされた複数枚の開閉体を設けた態様としてもよい。
また、上記各実施形態では、四枚の開閉体（引戸）３０，３０，３０Ａ，３０Ａ（３０Ｂ，３０Ｂ）を設けた例を示しているが、一枚または四枚以外の複数枚の開閉体を設けた態様としてもよい。
また、上記各実施形態では、プロジェクター２０が収納される第１収納部１，１Ａに加え、第２収納部４，４，４Ａ，４Ａ及び第３収納部５，５を設けた例を示しているが、少なくとも第１収納部１，１Ａを設けた態様としてもよい。
【００５６】
また、上記各実施形態では、プロジェクター２０が収納される収納空間２，２Ａを、天板１０や背板１２、両側板１１，１１，１１Ａ，１１Ａ、底板１３等によって区画した例を示しているが、このような態様に限られない。収納空間２，２Ａを区画する板材の全てまたは一部を、天井面や床面、壁面等によって構成した態様としてもよい。この場合は、プロジェクター２０を、床面や天井面等に設置した態様としてもよい。
また、上記各実施形態では、プロジェクター２０を、上下に複数段に区分された第１収納部１，１Ａの最上段または最下段の収納部に設けた例を示しているが、中段の収納部に設けた態様としてもよく、任意の段に設置可能とした態様等としてもよい。また、プロジェクター２０を収納する第１収納部１，１Ａを、上下に複数段に区分されたものとした態様に代えて、区分されていないものとしてもよい。
また、上記各実施形態では、床から概ね天井までの上下寸法とされた収納装置Ａ，Ｂ，Ｃを例示しているが、成人の腰高さ程度の上下寸法とされたものや、目線高さ、例えば、吊戸棚状に設置されるものとしてもよい。
また、上記各実施形態では、各実施形態に係る収納装置Ａ，Ｂ，Ｃを用いた収納構造を例示しているが、収納装置Ａ，Ｂ，Ｃが備える部材や機器の全てまたは一部が現場手配等された収納構造として把握するようにしてもよい。
【符号の説明】
【００５７】
Ａ，Ｂ，Ｃ            収納装置
１４，１４Ａ，１４Ｂ  第１棚板（棚板）
１４ｃ，１４Ｂａ      透光パネル（透光部）
１５，１５Ａ，１５Ｂ  第２棚板（棚板）
１６，１６Ａ          第３棚板（棚板）
１７，１７Ａ          第４棚板（棚板）
２０                  プロジェクター
２１                  投影口
２２                  投影光
２３                  上下位置調整機構
２４                  振動式スピーカー
３０                  第１引戸（開閉体）
３０Ａ，３０Ｂ        第２引戸（開閉体）
２，２Ａ              収納空間
３，３Ａ              画像
【図１】
0006601717.tif 000002
【図２】
0006601717.tif 000003
【図３】
0006601717.tif 000004
【図４】
0006601717.tif 000005
【図５】
0006601717.tif 000006
【図６】
0006601717.tif 000007
【図７】
0006601717.tif 000008